【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
インクジェット記録装置であって、
少なくとも第１の色のインクと前記第１の色のインクと色の異なる第２の色のインクとを記録媒体に吐出するための記録ヘッドユニットと、
記録媒体に前記第１の色のインクを先行して記録し、前記第２の色のインクを後続して先行して記録された記録媒体上の前記第１の色のインクに重ねて記録する記録制御手段と、
を具え、前記記録制御手段は、前記第１の色のインクの記録媒体への浸透速度Ｋａが前記第２の色のインクの前記記録媒体への浸透速度Ｋａより大きくなるように前記記録ヘッドユニットを制御することを特徴とするインクジェット記録装置。
【請求項２】
前記記録制御手段は、前記記録ヘッドユニットを制御することにより記録媒体に対する、前記浸透速度Ｋａによる記録媒体中のインクが浸透した部分の体積である浸透体積と、インクの浸透量と、によって定まる前記第１の色のインクと第２の色のインクとの記録媒体における毛管占有率を変化させることが可能であるように設けられていることを特徴とする請求項１に記載のインクジェット記録装置。
【請求項３】
前記記録制御手段は、前記第１の色のインクの前記毛管占有率より前記第２の色のインクの前記毛管占有率の方が大きくなるように前記記録ヘッドユニットを制御することを特徴とする請求項２に記載のインクジェット記録装置。
【請求項４】
前記記録制御手段は、前記第２の色のインクの前記毛管占有率より前記第１の色のインクの前記毛管占有率の方が大きくなるように前記記録ヘッドユニットを制御することを特徴とする請求項２に記載のインクジェット記録装置。
【請求項５】
前記記録制御手段は、前記第１の色のインクの前記毛管占有率と前記第２の色のインクの前記毛管占有率とが等しくなるように前記記録ヘッドユニットを制御することを特徴とする請求項２に記載のインクジェット記録装置。
【請求項６】
前記記録制御手段は前記記録ヘッドユニット内のインクの物性値を操作することによって前記第１の色のインクの記録媒体への浸透速度Ｋａが前記第２の色のインクの前記記録媒体への浸透速度Ｋａより大きくなるようにすることを特徴とする請求項１ないし５のいずれか１項に記載のインクジェット記録装置。
【請求項７】
前記記録ヘッドユニット内のインクの温度を制御することによって前記第１の色のインクの記録媒体への浸透速度Ｋａが前記第２の色のインクの前記記録媒体への浸透速度Ｋａより大きくなるようにすることを特徴とする請求項１ないし６のいずれか１項に記載のインクジェット記録装置。
【請求項８】
前記インクの温度の制御にペルチェ素子を用いることを特徴とする請求項７に記載のインクジェット記録装置。
【請求項９】
前記記録ヘッドユニットは前記第１の色のインクを吐出するための第１の記録ヘッドと、前記第２の色のインクを吐出するための第２の記録ヘッドとを含み、前記第１、２の記録ヘッドそれぞれにおいて、インクを吐出するための吐出口を複数備える複数の記録素子基板が支持部材に支持され、かつ共通のインクの流路と連通するように設けられており、ここで、前記支持部材は前記複数の記録素子基板同士の前記インクを熱移動媒体とする熱の移動に対して断熱的な作用をする材料で形成されていることを特徴とする請求項７に記載のインクジェット記録装置。
【請求項１０】
前記支持部材は熱可塑性の樹脂で形成されていることを特徴とする請求項９に記載のインクジェット記録装置。
【請求項１１】
前記記録ヘッドユニットは、記録媒体の搬送方向に所定の間隔を開けて配置されたｎ（ｎ≧２）個の記録ヘッドを有し、前記記録制御手段は、前記ｎ個の記録ヘッドから順次それぞれ異なる色のインクを吐出して記録媒体への記録を行うように前記記録ヘッドユニットを制御することを特徴とする請求項１ないし１０のいずれか１項に記載のインクジェット記録装置。
【請求項１２】
前記記録媒体を搬送する搬送ユニットをさらに有し、前記搬送ユニットによって搬送される記録媒体の固定された前記記録ヘッドユニットに対する１回の通過によって前記記録媒体の所定領域に記録が行なわれることを特徴とする請求項１１に記載のインクジェット記録装置。
【請求項１３】
インクジェット記録方法であって、
少なくとも第１の色のインクと前記第１の色のインクと色の異なる第２の色のインクとを記録媒体に吐出するための記録ヘッドユニットを用意する工程と、
記録媒体に前記第１の色のインクを先行して記録し、前記第２の色のインクを後続して先行して記録された記録媒体上の前記第１の色のインクに重ねて記録するための記録制御工程と、
を有し、前記記録制御工程は、前記第１の色のインクの記録媒体への浸透速度Ｋａが前記第２の色のインクの前記記録媒体への浸透速度Ｋａより大きくなるように前記記録ヘッドユニットを制御することを特徴とするインクジェット記録方法。
【請求項１４】
前記記録制御工程は、前記記録ヘッドユニットを制御することにより記録媒体に対する、前記浸透速度Ｋａによる記録媒体中のインクが浸透した部分の体積である浸透体積と、インクの浸透量と、によって定まる前記第１の色のインクと第２の色のインクとの記録媒体における毛管占有率を変化させることが可能であるように設けられていることを特徴とする請求項１３に記載のインクジェット記録方法。
【請求項１５】
前記記録制御工程は、前記第１の色のインクの前記毛管占有率より前記第２の色のインクの前記毛管占有率の方が大きくなるように前記記録ヘッドユニットを制御することを特徴とする請求項１４に記載のインクジェット記録方法。
【請求項１６】
前記記録制御工程は、前記第２の色のインクの前記毛管占有率より前記第１の色のインクの前記毛管占有率の方が大きくなるように前記記録ヘッドユニットを制御することを特徴とする請求項１４に記載のインクジェット記録方法。
【請求項１７】
前記記録制御工程は、前記第１の色のインクの前記毛管占有率と前記第２の色のインクの前記毛管占有率とが等しくなるように前記記録ヘッドユニットを制御することを特徴とする請求項１４に記載のインクジェット記録方法。
【請求項１８】
前記記録制御工程は前記記録ヘッドユニット内のインクの物性値を操作することによって前記第１の色のインクの記録媒体への浸透速度Ｋａが前記第２の色のインクの前記記録媒体への浸透速度Ｋａより大きくなるようにすることを特徴とする請求項１３ないし１７のいずれか１項に記載のインクジェット記録方法。
【請求項１９】
前記記録ヘッドユニット内のインクの温度を制御することによって前記第１の色のインクの記録媒体への浸透速度Ｋａが前記第２の色のインクの前記記録媒体への浸透速度Ｋａより大きくなるようにすることを特徴とする請求項１３ないし１８のいずれか１項に記載のインクジェット記録方法。
【請求項２０】
前記インクの温度の制御にペルチェ素子を用いることを特徴とする請求項１９に記載のインクジェット記録方法。
【請求項２１】
前記記録ヘッドユニットは前記第１の色のインクを吐出するための第１の記録ヘッドと、前記第２の色のインクを吐出するための第２の記録ヘッドとを含み、前記第１、２の記録ヘッドそれぞれにおいて、インクを吐出するための吐出口を複数備える複数の記録素子基板が支持部材に支持され、かつ共通のインクの流路と連通するように設けられており、ここで、前記支持部材は前記複数の記録素子基板同士の前記インクを熱移動媒体とする熱の移動に対して断熱的な作用をする材料で形成されていることを特徴とする請求項１９に記載のインクジェット記録方法。
【請求項２２】
前記支持部材は熱可塑性の樹脂で形成されていることを特徴とする請求項２１に記載のインクジェット記録方法。
【請求項２３】
前記記録ヘッドユニットは、記録媒体の搬送方向に所定の間隔を開けて配置されたｎ（ｎ≧２）個の記録ヘッドを有し、前記記録制御工程は、前記ｎ個の記録ヘッドから順次それぞれ異なる色のインクを吐出して記録媒体への記録を行うように前記記録ヘッドユニットを制御することを特徴とする請求項１３ないし２２のいずれか１項に記載のインクジェット記録方法。
【請求項２４】
前記記録媒体を搬送する搬送ユニットをさらに有し、前記搬送ユニットによって搬送される記録媒体の固定された前記記録ヘッドユニットに対する１回の通過によって前記記録媒体の所定領域に記録が行なわれることを特徴とする請求項２３に記載のインクジェット記録方法。